(57)【特許請求の範囲】
【請求項１】
商品を購入したショッパーから、前記ショッパーが前記商品に関連付けられた活動をした旨の投稿を受け付ける投稿受付部と、
前記受け付けた投稿を公開する公開部と、
前記商品を購入した他のショッパーが、前記公開された投稿を閲覧し、前記閲覧された投稿の内容を確認した旨の報告を受け付ける報告受付部と、
前記ショッパーが前記商品を再度購入すると、前記報告を受け付けたか否かに応じて、前記ショッパーに付与する特典を決定する決定部と、
を備えることを特徴とする特典付与装置。
【請求項２】
前記公開部は、前記商品と、前記商品に関連付けられた活動とを、ショッピングサイトにおいて予め公開する
ことを特徴とする請求項１に記載の特典付与装置。
【請求項３】
前記公開部は、前記ショッパーにより前記活動が選択されると、前記選択された活動に関連付けられる商品を、前記ショッパーに提示する
ことを特徴とする請求項２に記載の特典付与装置。
【請求項４】
前記報告受付部は、前記報告を受け付けるか否かを、前記ショッパーによる前記商品の購入及び前記投稿のタイミング、並びに、前記他のショッパーによる前記商品の購入及び前記確認のタイミングが、所定条件を満たすか否かに応じて判断する
ことを特徴とする請求項１から３のいずれか１項に記載の特典付与装置。
【請求項５】
前記報告受付部は、前記報告を受け付けると判断される他のショッパーの数に応じて、前記所定条件を緩和する
ことを特徴とする請求項４に記載の特典付与装置。
【請求項６】
前記報告受付部は、前記報告を受け付けると判断される他のショッパーの数が所定値よりも少ない場合、前記報告を受け付けると判断される他のショッパーの数が増加するように、前記所定条件を緩和する
ことを特徴とする請求項５に記載の特典付与装置。
【請求項７】
前記所定条件は、前記ショッパーによる前記購入から前記投稿までの期間が、第１範囲内にあるという条件である
ことを特徴とする請求項４から６のいずれか１項に記載の特典付与装置。
【請求項８】
前記所定条件は、前記他のショッパーによる前記商品の購入から前記投稿の確認までの期間が、第２範囲内にあるという条件である
ことを特徴とする請求項４から６のいずれか１項に記載の特典付与装置。
【請求項９】
前記所定条件は、前記ショッパーによる前記商品の購入から前記他のショッパーによる前記商品の購入までの期間が、第３範囲内にあるという条件である
ことを特徴とする請求項４から６のいずれか１項に記載の特典付与装置。
【請求項１０】
前記所定条件は、前記ショッパーによる前記投稿から前記他のショッパーによる前記投稿の確認までの期間が、第４範囲内にあるという条件である
ことを特徴とする請求項４から６のいずれか１項に記載の特典付与装置。
【請求項１１】
前記決定部は、
前記ショッパーによる前記投稿から、前記ショッパーが前記商品を再度購入するまでの期間が、第５範囲内の場合、前記ショッパーに付与する特典を決定する
ことを特徴とする請求項１から１０のいずれか１項に記載の特典付与装置。
【請求項１２】
前記決定部は、
前記ショッパーによる前記商品の購入及び前記投稿のタイミング、並びに、前記他のショッパーによる前記商品の購入及び前記確認のタイミングが、所定条件を満たすか否か、
及び、
前記ショッパーによる前記投稿から、前記ショッパーが前記商品を再度購入するまでの期間が、第５範囲内にあるか否か、
に応じて、前記ショッパーに付与する特典を決定する
ことを特徴とする請求項４から１０のいずれか１項に記載の特典付与装置。
【請求項１３】
前記商品に関連付けられた活動は、前記商品の使用である
ことを特徴とする請求項１から１２のいずれか１項に記載の特典付与装置。
【請求項１４】
前記商品に関連付けられた活動は、前記商品の使用による予め定められた目標の達成である
ことを特徴とする請求項１から１２のいずれか１項に記載の特典付与装置。
【請求項１５】
特典付与装置が実行する特典付与方法であって、
前記特典付与装置が、商品を購入したショッパーから、前記ショッパーが前記商品に関連付けられた活動をした旨の投稿を受け付ける投稿受付工程と、
前記特典付与装置が、前記受け付けた投稿を公開する公開工程と、
前記特典付与装置が、前記商品を購入した他のショッパーが、前記公開された投稿を閲覧し、前記閲覧された投稿の内容を確認した旨の報告を受け付ける報告受付工程と、
前記特典付与装置が、前記ショッパーが前記商品を再度購入すると、前記報告を受け付けたか否かに応じて、前記ショッパーに付与する特典を決定する決定工程と、
を備えることを特徴とする特典付与方法。
【請求項１６】
コンピュータを、
商品を購入したショッパーから、前記ショッパーが前記商品に関連付けられた活動をした旨の投稿を受け付ける投稿受付部、
前記受け付けた投稿を公開する公開部、
前記商品を購入した他のショッパーが、前記公開された投稿を閲覧し、前記閲覧された投稿の内容を確認した旨の報告を受け付ける報告受付部、
前記ショッパーが前記商品を再度購入すると、前記報告を受け付けたか否かに応じて、前記ショッパーに付与する特典を決定する決定部、
として機能させることを特徴とするプログラム。
【発明の詳細な説明】
【技術分野】
【０００１】
本発明は、特典付与装置、特典付与方法及びプログラムに関する。
【背景技術】
【０００２】
インターネットを介して、様々な商品の売買を可能にするショッピングサイトが知られている。ショッピングサイトにおいては、ショッパーに商品を継続して購入してもらうために、様々な工夫がなされている。
【０００３】
例えば、特許文献１には、ショッパーに商品を継続して購入しようとする動機を与えるために、ショッパーに付与する特典を、ショッパーの購買履歴に基づいて変化させる技術が開示されている。
【先行技術文献】
【特許文献】
【０００４】
【特許文献１】特開２０１８−８５０１４号公報
【発明の概要】
【発明が解決しようとする課題】
【０００５】
一方で、ショッパーに特典を付与するだけでなく、ショッパー同士の行動を利用することにより、ショッパーが商品を継続して購入する動機をより高めたいという要望もある。
【０００６】
本発明は、上記のような課題を解決するもので、同じ商品を購入したショッパー同士で、商品に関連付けられた活動をしたことを投稿及び確認し合うことにより、商品を継続して購入する動機を与えることが可能な特典付与装置、特典付与方法及びプログラムを提供することを目的とする。
【課題を解決するための手段】
【０００７】
本発明の第１の観点に係る特典付与装置は、
商品を購入したショッパーから、前記ショッパーが前記商品に関連付けられた活動をした旨の投稿を受け付ける投稿受付部と、
前記受け付けた投稿を公開する公開部と、
前記商品を購入した他のショッパーが、前記公開された投稿を閲覧し、前記閲覧された投稿の内容を確認した旨の報告を受け付ける報告受付部と、
前記ショッパーが前記商品を再度購入すると、前記報告を受け付けたか否かに応じて、前記ショッパーに付与する特典を決定する決定部と、
を備えることを特徴とする。
【０００８】
また、上記観点に係る特典付与装置において、
前記公開部は、前記商品と、前記商品に関連付けられた活動とを、ショッピングサイトにおいて予め公開する
ことを特徴とする。
【０００９】
また、上記観点に係る特典付与装置において、
前記公開部は、前記ショッパーにより前記活動が選択されると、前記選択された活動に関連付けられる商品を、前記ショッパーに提示する
ことを特徴とする。
【００１０】
また、上記観点に係る特典付与装置において、
前記報告受付部は、前記報告を受け付けるか否かを、前記ショッパーによる前記商品の購入及び前記投稿のタイミング、並びに、前記他のショッパーによる前記商品の購入及び前記確認のタイミングが、所定条件を満たすか否かに応じて判断する
ことを特徴とする。
【００１１】
また、上記観点に係る特典付与装置において、
前記報告受付部は、前記報告を受け付けると判断される他のショッパーの数に応じて、前記所定条件を緩和する
ことを特徴とする。
【００１２】
また、上記観点に係る特典付与装置において、
前記報告受付部は、前記報告を受け付けると判断される他のショッパーの数が所定値よりも少ない場合、前記報告を受け付けると判断される他のショッパーの数が増加するように、前記所定条件を緩和する
ことを特徴とする。
【００１３】
また、上記観点に係る特典付与装置において、
前記所定条件は、前記ショッパーによる前記購入から前記投稿までの期間が、第１範囲内にあるという条件である
ことを特徴とする。
【００１４】
また、上記観点に係る特典付与装置において、
前記所定条件は、前記他のショッパーによる前記商品の購入から前記投稿の確認までの期間が、第２範囲内にあるという条件である
ことを特徴とする。
【００１５】
また、上記観点に係る特典付与装置において、
前記所定条件は、前記ショッパーによる前記商品の購入から前記他のショッパーによる前記商品の購入までの期間が、第３範囲内にあるという条件である
ことを特徴とする。
【００１６】
また、上記観点に係る特典付与装置において、
前記所定条件は、前記ショッパーによる前記投稿から前記他のショッパーによる前記投稿の確認までの期間が、第４範囲内にあるという条件である
ことを特徴とする。
【００１７】
また、上記観点に係る特典付与装置において、
前記決定部は、
前記ショッパーによる前記投稿から、前記ショッパーが前記商品を再度購入するまでの期間が、第５範囲内の場合、前記ショッパーに付与する特典を決定する
ことを特徴とする。
【００１８】
また、上記観点に係る特典付与装置において、
前記決定部は、
前記ショッパーによる前記商品の購入及び前記投稿のタイミング、並びに、前記他のショッパーによる前記商品の購入及び前記確認のタイミングが、所定条件を満たすか否か、
及び、
前記ショッパーによる前記投稿から、前記ショッパーが前記商品を再度購入するまでの期間が、第５範囲内にあるか否か、
に応じて、前記ショッパーに付与する特典を決定する
ことを特徴とする。
【００１９】
また、上記観点に係る特典付与装置において、
前記商品に関連付けられた活動は、前記商品の使用である
ことを特徴とする。
【００２０】
また、上記観点に係る特典付与装置において、
前記商品に関連付けられた活動は、前記商品の使用による予め定められた目標の達成である
ことを特徴とする。
【００２１】
本発明の第２の観点に係る特典付与方法は、
特典付与装置が実行する特典付与方法であって、
前記特典付与装置が、商品を購入したショッパーから、前記ショッパーが前記商品に関連付けられた活動をした旨の投稿を受け付ける投稿受付工程と、
前記特典付与装置が、前記受け付けた投稿を公開する公開工程と、
前記特典付与装置が、前記商品を購入した他のショッパーが、前記公開された投稿を閲覧し、前記閲覧された投稿の内容を確認した旨の報告を受け付ける報告受付工程と、
前記特典付与装置が、前記ショッパーが前記商品を再度購入すると、前記報告を受け付けたか否かに応じて、前記ショッパーに付与する特典を決定する決定工程と、
を備えることを特徴とする。
【００２２】
本発明の第３の観点に係るプログラムは、
コンピュータを、
商品を購入したショッパーから、前記ショッパーが前記商品に関連付けられた活動をした旨の投稿を受け付ける投稿受付部、
前記受け付けた投稿を公開する公開部、
前記商品を購入した他のショッパーが、前記公開された投稿を閲覧し、前記閲覧された投稿の内容を確認した旨の報告を受け付ける報告受付部、
前記ショッパーが前記商品を再度購入すると、前記報告を受け付けたか否かに応じて、前記ショッパーに付与する特典を決定する決定部、
として機能させることを特徴とする。
【００２３】
上記プログラムは、非一時的な（non-transitory）記録媒体に記録されてもよい。非一時的な記録媒体は、コンピュータとは独立して配布・販売することができる。ここで、非一時的な記録媒体とは、有形な（tangible）記録媒体をいう。非一時的な記録媒体は、例えば、コンパクトディスク、フレキシブルディスク、ハードディスク、光磁気ディスク、ディジタルビデオディスク、磁気テープ、半導体メモリ等である。また、一時的な（transitory）記録媒体とは、伝送媒体（伝搬信号）それ自体を示す。一時的な記録媒体は、例えば、電気信号、光信号、電磁波等である。なお、一時的な（temporary）記憶領域とは、データやプログラムを一時的に記憶するための領域であり、例えば、ＲＡＭ（Random Access Memory）等の揮発性メモリである。
【発明の効果】
【００２４】
本発明によれば、同じ商品を購入したショッパー同士で、商品に関連付けられた活動をしたことを投稿及び確認し合うことにより、商品を継続して購入する動機を与えることが可能な特典付与装置、特典付与方法及びプログラムを提供することができる。
【図面の簡単な説明】
【００２５】
【図１】実施形態に係る特典付与装置と端末装置との関係を示す図である。
【図２】実施形態に係る特典付与装置のハードウェア構成を示す図である。
【図３】実施形態に係る特典付与装置の機能構成を示す図である。
【図４】実施形態に係るページを説明するための図である。
【図５】実施形態に係るページを説明するための図である。
【図６】実施形態に係るショッパーの商品の購入及び投稿のタイミングと他のショッパーの商品の購入及び確認のタイミングとを説明するための図である。
【図７】実施形態に係る特典付与処理を説明するためのフローチャートである。
【発明を実施するための形態】
【００２６】
（１．全体構成）
本発明の実施形態に係る特典付与装置１００は、図１に示すように、複数の端末装置２００−１，・・・，２００−Ｎ（Ｎは２以上の自然数）と、ネットワーク３００を介して、通信可能に接続されている。以下では、特定の端末装置について説明する場合を除き、端末装置２００−１，・・・，２００−Ｎを総称して端末装置２００と表記する。
【００２７】
特典付与装置１００は、端末装置２００から、商品に関する投稿及び投稿の確認を受信する装置である。例えば、特典付与装置１００は、ショッピングサイトを管理するショッピングサーバである。
【００２８】
端末装置２００は、ショッパーが使用する装置である。端末装置２００は、例えば、スマートフォン、タブレットコンピュータ等である。
【００２９】
ネットワーク３００は、無線又は有線による通信ネットワークである。ネットワーク３００は、いかなるものであってもよく、例えば、インターネット、イントラネット、エクストラネット、ＬＡＮ（Local Area Network）、ＶＰＮ（Virtual Private Network）、電話回線網等である。
【００３０】
（２．特典付与装置のハードウェア構成）
図２は、特典付与装置１００のハードウェア構成を示すブロック図である。
【００３１】
特典付与装置１００は、図２に示すように、ＣＰＵ（Central Processing Unit）１１と、ＲＯＭ（Read Only Memory）１２と、ＲＡＭ１３と、記録媒体１４と、出力デバイス１５と、通信デバイス１６と、操作デバイス１７と、を備える。各構成要素は、バス１８により接続されている。
【００３２】
ＣＰＵ１１は、特典付与装置１００全体の動作を制御し、各構成要素と接続され、制御信号やデータをやりとりする。
【００３３】
ＲＯＭ１２には、特典付与装置１００全体の動作制御に必要なオペレーティングのプログラムや各種のデータが記録される。
【００３４】
ＲＡＭ１３は、データやプログラムを一時的に記録するためのもので、記録媒体１４から読み出したプログラムやデータ、その他、通信に必要なデータ等が保持される。
【００３５】
記録媒体１４は、ハードディスクやフラッシュメモリ等から構成され、特典付与装置１００で処理するデータを記録する。
【００３６】
出力デバイス１５は、ＬＣＤ（Liquid Crystal Display）及びバックライト等の表示装置や、スピーカ等の音声出力装置を備える。出力デバイス１５は、ＣＰＵ１１による制御の下、例えば、ＣＰＵ１１から出力されたデータを出力する。
【００３７】
通信デバイス１６は、特典付与装置１００をインターネット等のコンピュータ通信網に接続するための通信インターフェースを含み、通信デバイス１６を介して他の情報処理装置等とやりとりをする。
【００３８】
操作デバイス１７は、ボタン、キーボード、タッチパネル、マイク等の入力装置を備える。操作デバイス１７は、特典付与装置１００の使用者からの操作入力を受け付け、受け付けた操作入力に対応する信号をＣＰＵ１１に出力する。
【００３９】
本実施形態に係る特典付与装置１００は、特典付与装置１００の電源を投入し、本実施形態に係る特典付与装置１００として機能させるプログラムが実行されることにより、実現される。
【００４０】
（３．実施形態の特典付与装置の機能構成）
特典付与装置１００は、図３に示すように、機能的には、投稿受付部１０１と、公開部１０２と、報告受付部１０３と、決定部１０４と、を備える。本実施形態において、ＣＰＵ１１及び通信デバイス１６が協働して、投稿受付部１０１、公開部１０２及び報告受付部１０３として機能し、ＣＰＵ１１が、決定部１０４として機能する。
【００４１】
投稿受付部１０１は、商品を購入したショッパーから、ショッパーが商品に関連付けられた活動をした旨の投稿を受け付ける。
【００４２】
商品は、継続的な購入が期待されるものであれば、どのようなものでもよい。商品は、例えば、サプリメント、飲料、食品、学習教材等である。商品に関連付けられた活動とは、商品の使用による予め定められた目標の達成である。例えば、商品を、減量効果が期待されるサプリメントＸとすると、予め定められた目標とは減量であり、目標の達成とは、減量の達成である。後述するように、商品と商品に関連付けられた活動とは、予めショッピングサイトにおいて公開されている。なお、目標の詳細は、ショッパーが適宜設定できてもよい。例えば、予め定められた目標が減量の場合、何ｋｇ減量するかを、ショッパーが設定できるようにしてもよい。
【００４３】
例えば、サプリメントＸを購入したショッパーＡが、端末装置２００−Ａを用いて、体重計に乗って体重を計測した画像と、２ｋｇの減量を達成したことを示すテキストとを投稿すると、投稿受付部１０１は、ショッパーＡから、当該投稿を受け付ける。
【００４４】
公開部１０２は、投稿を公開する。例えば、図４に示すように、公開部１０２は、ショッパーＡから受け付けた投稿を、ショッピングサイトにおいて公開する。図４のページ４１０には、ショッパーＡが購入したサプリメントＸの画像４１１と、ショッパーＡが投稿した画像４１２と、ショッパーＡが投稿したテキスト４１３と、ページ４１０を閲覧した者が投稿内容を確認したことを通知するためのボタン４１４と、が含まれる。
【００４５】
また、公開部１０２は、商品と、商品に関連付けられた活動とを、ショッピングサイトにおいて予め公開する。したがって、ショッパーは商品の購入前に、商品に関連付けられた活動を知ることができる。例えば、公開部１０２は、ショッパーにより活動が選択されると、選択された活動に関連付けられる商品を、ショッパーに提示する。
【００４６】
例えば、ショッピングサイトにおいて、商品の使用により、予め定められた目標を達成すると、特典が得られるというキャンペーンが行われているとする。この場合、活動に関連付けられる商品とは、例えば、予め定められた目標の達成に有用な商品である。
【００４７】
図５に、ショッピングサイトにおいて予め公開されるページ４２０の例を示す。ページ４２０には、商品に関連付けられた活動（目標の達成）のリスト４２１が含まれる。リスト４２１のうち、マウスオーバ等により、いずれかの活動を選択すると、選択された活動に関連付けられる商品のリスト４２２が表示される。例えば、ショッパーＡが、減量の達成を選択した場合、減量の達成に有用な商品であって、ショッピングサイトで扱われるサプリメントや飲料の商品のリストが提示される。
【００４８】
報告受付部１０３は、商品を購入した他のショッパーが、公開された投稿を閲覧し、閲覧された投稿の内容を確認した旨の報告を受け付ける。
【００４９】
閲覧された投稿の内容を確認した旨の報告は、例えば、図４のページ４１０のボタン４１４の選択によりなされる。例えば、サプリメントＸを購入したショッパーＢが、端末装置２００−Ｂにおいて、図４のページ４１０を閲覧し、ボタン４１４を選択すると、報告受付部１０３は、ショッパーＢから、ショッパーＡの投稿内容を閲覧し、確認した旨の報告を受け付ける。
【００５０】
ここで、報告受付部１０３は、報告を受け付けるか否かを、ショッパーによる商品の購入及び投稿のタイミング、並びに、他のショッパーによる商品の購入及び確認のタイミングが、所定条件を満たすか否かに応じて判断する。例えば、ショッパーＡとショッパーＢの購入の時期が離れすぎてしまったり、ショッパーＡの投稿からショッパーＢが投稿を確認するまでの期間が長すぎると、ショッパーＢの行動が、ショッパーＡが商品を継続して購入しようとする動機付けにはなりにくい。したがって、上記タイミングが所定条件を満たす場合、報告受付部１０３は、報告を受け付けるとする。
【００５１】
例えば、同一商品を購入した複数のショッパーの行動を、商品を継続して購入する動機付けとするには、複数のショッパーが同一商品を同時期に購入及び使用し、同時期に使用について投稿及び確認をし合うという条件を設けることが効果的である。したがって、報告受付部１０３は、所定条件を、以下の条件（Ａ）−（Ｄ）とし、これら条件のうちいずれかを満たすか否か、又は、任意の条件の組み合わせを満たすか否かにより、報告を受け付けるか否かを判断する。
【００５２】
図６に、ショッパーＡのサプリメントＸの購入及び投稿のタイミングと、ショッパーＢのサプリメントＸの購入及び確認のタイミングの例を示す。なお、図６は一例であり、ショッパーＢの購入時刻ｔ３は、ショッパーＡの投稿時刻ｔ２の前であってもよい。
【００５３】
所定条件は、ショッパーによる購入から投稿までの期間が、第１範囲内にあるという条件（Ａ）である。例えば、条件（Ａ）は、ショッパーＡによるサプリメントＸの購入時刻ｔ１から、ショッパーＡによる、サプリメントＸを使用して目標を達成したことを示す投稿の投稿時刻ｔ２までの期間ａが、“１週間以上１ヶ月以内”であるという条件である。報告受付部１０３は、購入時刻ｔ１から投稿時刻ｔ２までの期間が“１週間以上１ヶ月以内”の場合に、他のショッパーから報告を受け付ける。
【００５４】
購入時刻ｔ１から投稿時刻ｔ２までの期間ａが短すぎると、ショッパーＡが購入した商品を使用せずに投稿した可能性がある。また、購入時刻ｔ１から投稿時刻ｔ２までの期間ａが長すぎると、投稿内容が購入した商品の使用による影響を反映していない可能性がある。例えば、ショッパーＡが３０日分のサプリメントＸを購入してから半年後に２ｋｇ減量したことを投稿したとすると、減量の効果は、サプリメントＸの摂取によってではなく、他の要因により得られた可能性が高くなる。したがって、条件（Ａ）を設けることにより、ショッパーが購入した商品を使用したこと、及び、投稿が使用を反映していることの信頼性を担保する。
【００５５】
また、所定条件は、他のショッパーによる商品の購入から投稿の確認までの期間が、第２範囲内にあるという条件（Ｂ）である。例えば、条件（Ｂ）は、ショッパーＢによるサプリメントＸの購入時刻ｔ３から、ショッパーＢによるショッパーＡの投稿の確認時刻ｔ４までの期間ｂが、“１週間以上１ヶ月以内”であるという条件である。報告受付部１０３は、購入時刻ｔ３から確認時刻ｔ４までの期間が“１週間以上１ヶ月以内”の場合に、ショッパーＢから報告を受け付ける。
【００５６】
購入時刻ｔ３から確認時刻ｔ４までの期間ｂが短すぎると、ショッパーＢが商品を使用せずに確認した可能性がある。また、購入時刻ｔ３から確認時刻ｔ４までの期間ｂが長すぎると、ショッパーＢは商品の使用を終えてから長時間経過した後に確認した可能性がある。例えば、ショッパーＢが３０日分のサプリメントＸを購入した後、半年後にボタン４１４を選択したとすると、ショッパーＢは、既にサプリメントＸを使い切っており、同時期に同一商品を使用したショッパーによる反応ではなくなってしまうため、ショッパーＡに対する動機付けとしての効果が薄れてしまう。したがって、条件（Ｂ）を設けることにより、他のショッパーが購入した商品を使用したこと、及び、使用中に確認したことの信頼性を担保する。
【００５７】
また、所定条件は、ショッパーによる商品の購入から他のショッパーによる商品の購入までの期間が、第３範囲内にあるという条件（Ｃ）である。例えば、条件（Ｃ）は、ショッパーＡによるサプリメントＸの購入時刻ｔ１から、ショッパーＢによる購入時刻ｔ３までの期間ｃが、“０日以上１ヶ月以内”であるという条件である。報告受付部１０３は、購入時刻ｔ１から購入時刻ｔ３までの期間が“０日以上１ヶ月以内”の場合に、ショッパーＢから報告を受け付ける。
【００５８】
購入時刻ｔ１から購入時刻ｔ３までの期間ｃが長すぎると、同時期に購入したとみなすことができない。また、例えば、継続して購入する対象の商品が生鮮食品のように購入した時期によって品質に差が生じるような商品の場合は、同じ商品を購入したと見なすことができない。同時期に同じ商品を購入したショッパー同士でない場合、投稿及び確認による継続購入の動機付けの効果が少なくなる可能性がある。したがって、条件（Ｃ）を設けることにより、同時期に購入したショッパーからの報告のみを受け付ける。
【００５９】
また、所定条件は、ショッパーによる投稿から他のショッパーによる投稿の確認までの期間が、第４範囲内にあるという条件（Ｄ）である。例えば、条件（Ｄ）は、ショッパーＡによる投稿時刻ｔ２から、ショッパーＢによる確認時刻ｔ４までの期間ｄが、“０日以上１ヶ月以内”であるという条件である。報告受付部１０３は、投稿時刻ｔ２から確認時刻ｔ４までの期間が“０日以上１ヶ月以内”の場合に、ショッパーＢから報告を受け付ける。
【００６０】
投稿時刻ｔ２から確認時刻ｔ４までの期間ｄは、短い程、投稿したショッパーにとって高い動機付けとなり得る。また、投稿時刻ｔ２から確認時刻ｔ４までの期間ｄが長すぎると、投稿したショッパーＡに対する継続購入の動機付けになりにくくなる。例えば、ショッパーＡが投稿した後、２ヶ月後にショッパーＢがボタン４１４を選択したとしても、ショッパーＡは既にサプリメントＸについての関心が無くなっており、ショッパーＢによる反応が動機付けとなりにくくなる可能性がある。したがって、条件（Ｄ）を設けることにより、継続購入の動機付けとなる報告のみを受け付ける。
【００６１】
また、報告受付部１０３は、報告を受け付けると判断される他のショッパーの数に応じて、所定条件を緩和する。
【００６２】
具体的には、報告受付部１０３は、報告を受け付けると判断される他のショッパーの数が所定値よりも少ない場合、報告を受け付けると判断される他のショッパーの数が増加するように、所定条件を緩和する。
【００６３】
報告を受け付けると判断される他のショッパーの数は、ショッパーを識別するためのＩＤ及びショッパーの投稿を識別するためのＩＤと紐付けて記録媒体１４に格納される。報告受付部１０３は、記録媒体１４に格納された情報を参照して、報告を受け付けると判断される他のショッパーの数を特定する。
【００６４】
例えば、報告受付部１０３が、報告を受け付ける条件として、条件（Ａ）−（Ｄ）の全てを満たすという条件を採用している場合であって、ショッパーＡのページ４１０の投稿に対して報告を受け付けると判断された他のショッパーが“２名”よりも少ない場合、報告受付部１０３は、報告を受け付ける条件を、条件（Ａ）のみに変更する。このように条件を緩和すると、他のショッパーによる商品の購入及び投稿のタイミングについての条件が無くなるので、報告受付部１０３はより多くの報告を受け付けたと判断することになる。
【００６５】
決定部１０４は、ショッパーが商品を再度購入すると、報告受付部１０３が報告を受け付けたか否かに応じて、ショッパーに付与する特典を決定する。
【００６６】
特典は、例えば、ショッピングサイトで使用できるポイント、割引きの権利等である。
【００６７】
例えば、決定部１０４は、ショッパーＡがサプリメントＸを購入（購入時刻ｔ１）した後、再度サプリメントＸを購入（購入時刻ｔ５）した場合であって、サプリメントＸを使用して目標を達成したことを示す投稿が掲載されたページ４１０において、他のショッパーからボタン４１４が選択されて、報告を受け付けたとみなされた場合、ショッパーＡに所定のポイントを付与する。具体的には、記録媒体１４を参照して、ページ４１０において報告を受け付けると判断される他のショッパーの数を特定し、特定された数が１以上の場合、決定部１０４は、報告を受け付けると判断される他のショッパーの数に応じて、ショッパーＡに所定のポイントを付与する。
【００６８】
ここで、ショッパーによる投稿から、ショッパーが商品を再度購入するまでの期間が、第５範囲内の場合、ショッパーに付与する特典を決定する。以下、ショッパーによる投稿から、ショッパーが商品を再度購入するまでの期間が、第５範囲内であるという条件を、条件（Ｅ）とする。
【００６９】
例えば、ショッパーＡによる投稿時刻ｔ２から、ショッパーＡによるサプリメントＸの再購入の購入時刻ｔ５までの期間ｅが、“０日以上３ヶ月以内”である場合、決定部１０４は、ショッパーＡにポイントを付与する。投稿時刻ｔ２から購入時刻ｔ５までの期間ｅが長い場合は、商品の使用後に継続的に購入しているとは見なせないので、ポイントを付与しない。したがって、条件（Ｅ）を設けることにより、商品を継続して購入したとみなし、ショッパーに特典を付与する。
【００７０】
決定された特典の情報は、ショッパーを識別するためのＩＤと紐付けて記録媒体１４に格納される。また、決定された特典の内容は、ショッパーに、電子メールにより、又は、ショッピングサイトへのログイン後にショッピングサイト内のページにおいて通知される。なお、ショッパーへの通知方法については、任意の方法を採用することができ、上記の他に、例えば、プッシュ通知、バナー通知、音声通知、アプリ画面での通知、特典獲得履歴画面（特典がポイントの場合は、ポイント履歴画面）での通知、又は、ＳＮＳ（Social Networking Service）、メッセージアプリなどの各種の媒体の利用による通知等を採用することができる。
【００７１】
（４．実施形態の特典付与装置の動作）
本実施形態の特典付与装置１００の動作について、図７を用いて説明する。例えば、特典付与装置１００は、電源が投入されると、図７に示す特典付与処理を開始する。
【００７２】
投稿受付部１０１は、商品を購入したショッパーから、ショッパーが商品に関連付けられた活動をした旨の投稿を受け付けたか否かを判断する（ステップＳ１０１）。投稿受付部１０１が、当該投稿を受け付けたと判断すると（ステップＳ１０１；ＹＥＳ）、公開部１０２は投稿を公開する（ステップＳ１０２）。一方、投稿受付部１０１が、当該投稿を受け付けていないと判断すると（ステップＳ１０１；ＮＯ）、ステップＳ１０８に進む。
【００７３】
例えば、サプリメントＸを購入したショッパーＡが、体重計に乗って体重を計測した画像と、２ｋｇの減量を達成したことを示すテキストを投稿すると、投稿受付部１０１は投稿を受け付けたと判断し、公開部１０２は、図４のページ４１０をショッピングサイトにおいて公開する。一方、投稿受付部１０１は、ショッピングサイトにおいて商品を購入したショッパーから、図５のページ４２０のリスト４２１に含まれる活動をしたことを示す投稿を受け付けない場合、そのまま待機する。
【００７４】
次に、報告受付部１０３は、商品を購入した他のショッパーが、公開された投稿を閲覧し、閲覧された投稿の内容を確認した旨の報告を受信したか否かを判断する（ステップＳ１０３）。報告受付部１０３は、当該報告を受信したと判断すると（ステップＳ１０３；ＹＥＳ）、ショッパーによる商品の購入及び投稿のタイミング、並びに、他のショッパーによる商品の購入及び確認のタイミングが、所定条件を満たすか否かを判断する（ステップＳ１０４）。一方、報告受付部１０３は、当該報告を受信していないと判断すると（ステップＳ１０３；ＮＯ）、ステップＳ１０１に戻る。
【００７５】
例えば、サプリメントＸを購入したショッパーＢが、図４のページ４１０を閲覧し、ボタン４１４を選択すると、報告受付部１０３は、ショッパーＢの端末装置２００−Ｂから、ボタン４１４が選択されたことを示す信号を受信したと判断する。そして、所定条件が条件（Ａ）−（Ｄ）を全て満たすという条件の場合、報告受付部１０３は、ショッパーＡによるサプリメントＸの購入及びページ４１０の投稿のタイミング、並びに、ショッパーＢによるサプリメントＸの購入及びボタン４１４が選択されたタイミングが、条件（Ａ）−（Ｄ）を満たすか否かを判断する。一方、報告受付部１０３は、ページ４１０においてボタン４１４が選択されたことを示す信号を受信しない場合、ステップＳ１０１に戻る。
【００７６】
ステップＳ１０４において、報告受付部１０３が、ショッパーによる商品の購入及び投稿のタイミング、並びに、他のショッパーによる商品の購入及び確認のタイミングが、所定条件を満たすと判断すると（ステップＳ１０４；ＹＥＳ）、報告受付部１０３は、他のショッパーから投稿の内容を確認した旨の報告を受け付けると判断する（ステップＳ１０５）。そして、ステップＳ１０１に戻る。一方、報告受付部１０３が、ショッパーによる商品の購入及び投稿のタイミング、並びに、他のショッパーによる商品の購入及び確認のタイミングが、所定条件を満たしていないと判断すると（ステップＳ１０４；ＮＯ）、ステップＳ１０４の処理の時点で、報告を受け付けると判断される他のショッパーの数が所定値よりも少ないか否かを判断する（ステップＳ１０６）。
【００７７】
例えば、ショッパーＡの購入時刻ｔ１及び投稿時刻ｔ２、並びに、ショッパーＢの購入時刻ｔ３及び確認時刻ｔ４が、条件（Ａ）−（Ｄ）を全て満たす場合、報告受付部１０３は、ショッパーＢからページ４１０を閲覧し確認した旨を示す報告を受け付けると判断する。そして、ステップＳ１０１に戻る。一方、ショッパーＡの購入時刻ｔ１及び投稿時刻ｔ２、並びに、ショッパーＢの購入時刻ｔ３及び確認時刻ｔ４が、条件（Ａ）−（Ｄ）のいずれかを満たさない場合、報告受付部１０３は、それまでに、ショッパーＡの投稿に関して、報告を受け付けると判断される他のショッパーの数が“２名”よりも少ないか否かを判断する。
【００７８】
ステップＳ１０６において、報告受付部１０３が、ステップＳ１０４の処理の時点で報告を受け付けると判断される他のショッパーの数が、所定値よりも少ないと判断した場合（ステップＳ１０６；ＹＥＳ）、所定条件を緩和する（ステップＳ１０７）。一方、報告受付部１０３が、ステップＳ１０４の処理の時点で、報告を受け付けると判断された他のショッパーの数が所定値以上と判断した場合（ステップＳ１０６；ＮＯ）、ステップＳ１０１に進む。
【００７９】
例えば、報告受付部１０３は、各タイミングが条件（Ａ）−（Ｄ）を全て満たすか否かを判断した時点で、ショッパーＡの投稿に関して、報告を受け付けると判断される他のショッパーの数が“２名”よりも少ないと判断すると、報告受付部１０３は、所定条件を、条件（Ａ）のみを満たすこととする。一方、報告受付部１０３は、条件（Ａ）−（Ｄ）を全て満たすか否かを判断した時点で、ショッパーＡの投稿に関して、報告を受け付けると判断された他のショッパーの数が“２名”以上である判断すると、ステップＳ１０１に進む。
【００８０】
ステップＳ１０１において、投稿受付部１０１が、商品を購入したショッパーから、ショッパーが商品に関連付けられた活動をした旨の投稿を受け付けていないと判断すると（ステップＳ１０１；ＮＯ）、次に、決定部１０４は、ショッパーが活動した旨を投稿した商品を再度購入したか否かを判断する（ステップＳ１０８）。決定部１０４が、ショッパーが活動した旨を投稿した商品を再度購入したと判断すると（ステップＳ１０８；ＹＥＳ）、特典付与装置１００が報告を受け付けたか否かに応じて、ショッパーに付与する特典を決定する（ステップＳ１０９）。一方、決定部１０４が、ショッパーが活動した旨を投稿した商品を再度購入していないと判断すると（ステップＳ１０８；ＮＯ）、ステップＳ１０３に進む。
【００８１】
例えば、決定部１０４は、ショッパーＡがサプリメントＸを購入した後、再度サプリメントＸを購入したとすると、記録媒体１４を参照して、ページ４１０において、他のショッパーから報告を受け付けると判断された他のショッパーの数が１以上の場合、報告を受け付けると判断された他のショッパーの数に応じて、ショッパーＡに所定のポイントを付与する。一方、決定部１０４は、ショッパーＡがサプリメントＸを購入した後、再度サプリメントＸを購入していない場合は、ステップＳ１０３に進む。
【００８２】
本実施形態によれば、同じ商品を購入したショッパー同士で、商品に関連付けられた活動をしたことを投稿及び確認し合い、これにより特典が付与されることにより、商品を継続して購入する動機を与えることができる。例えば、目標を達成することを効果として販売されている商品の場合、ショッパーは目標の達成状況を公表し他のショッパーから反応が得られれば、特典が付与されるので、商品を使用して目標を達成した旨を示す投稿を促すことができる。そして、同じ商品を購入したショッパー同士が目標の達成状況を公表して反応を返し合うことにより、ショッパー同士で励まし合う効果が期待できる。これにより、ショッパーに、さらなる目標の達成のために商品の継続購入を促すことができる。
【００８３】
また、本実施形態によれば、同時期に同一商品を購入したショッパー同士による投稿及び確認が行われた場合に、ショッパーに特典が付与されるようにすることにより、ショッパー同士に一体感を生じさせ、さらに継続購入を促すことができる。
【００８４】
（５．変形例）
以上、本発明の実施形態を説明したが、本発明を実施するにあたっては、種々の形態による変形及び応用が可能である。
【００８５】
上記実施形態において、商品に関連付けられた活動は、商品の使用による予め定められた目標の達成であるとしたが、これに限らない。商品に関連付けられた活動は、商品の使用であってもよい。例えば、商品をサプリメントＸとすると、商品に関連付けられた活動は、サプリメントＸの摂取及び消費である。同じ商品を購入したショッパー同士が商品の使用状況を公表して確認したという反応を返し合うことにより、ショッパーに、商品を継続して使用し、継続して購入することを促すことができる。
【００８６】
また、上記実施形態の第１範囲、第２範囲、第３範囲、第４範囲及び第５範囲は、任意に設定することができる。これらの範囲は、商品及び商品に関連付けられた活動の内容に応じて、変更することができる。例えば、活動の内容が、商品の使用によるある目標の達成の場合は、ショッパーが目標の達成に要すると想定される期間を考慮して、上記範囲を設定する。例えば、活動内容が英語の検定試験での９００点以上の取得であり、商品が書籍の場合、第１範囲を“１ヶ月以上３ヶ月以内”と設定する。
【００８７】
また、上記実施形態において、所定条件の緩和を、条件（Ａ）−（Ｄ）のうち採用する条件の数を減少することしたが、これに限らない。例えば、所定条件の緩和を、第１範囲、第２範囲、第３範囲又は第４範囲の始点及び終点を変更して期間を延ばすこととしてもよい。また、所定条件の緩和の内容は、商品及び商品に関連付けられた活動の内容に応じて、変更してもよい。
【００８８】
また、上記実施形態において、決定部１０４は、報告を受け付けると判断される他のショッパーの数に応じて、ショッパーＡに所定のポイントを付与するとしたが、これに限らない。例えば、決定部１０４は、ショッパーによる商品の購入及び投稿のタイミング、並びに、他のショッパーによる商品の購入及び確認のタイミングが、所定条件を満たすか否か、及び、ショッパーによる投稿から、ショッパーが商品を再度購入するまでの期間が、第５範囲内にあるか否か、に応じて、ショッパーに付与する特典を決定してもよい。例えば、決定部１０４は、上記条件（Ａ）−（Ｅ）のうち、満たす条件が多い程、ショッパーＡに付与するポイントの量を多く決定する。
【００８９】
また、上記実施形態において、決定部１０４は、報告を受け付けると判断される他のショッパーの数が１以上の場合、ショッパーに付与する特典を決定するとしたがこれに限らない。例えば、報告を受け付けると判断される他のショッパーの数が０であっても、決定部１０４は、活動した旨を投稿したショッパーに付与する特典を決定してもよい。ただし、この場合、決定部１０４は、報告を受け付けると判断される他のショッパーが１以上の場合よりも少ない量の特典を決定する。これにより、ショッパーに活動した旨の投稿を促すことができる。
【００９０】
また、上記実施形態において、特典付与装置１００の動作を図７に示すフローチャートを用いて説明したが、特典付与装置１００の動作はこれに限らない。例えば、ステップＳ１０４，Ｓ１０６，Ｓ１０７は、省略可能である。すなわち、ショッパーによる商品の購入及び投稿のタイミング、並びに、他のショッパーによる商品の購入及び確認のタイミングに条件を設けなくてもよい。或いは、ステップＳ１０６，Ｓ１０７を省略してもよい。すなわち、報告を受け付けると判断される他のショッパーの数に基づいて、所定条件を緩和しなくてもよい。この場合、ステップＳ１０４において、報告受付部１０３が、ショッパーによる商品の購入及び投稿のタイミング、並びに、他のショッパーによる商品の購入及び確認のタイミングが、所定条件を満たしていないと判断すると（ステップＳ１０４；ＮＯ）、ステップＳ１０１に戻る。
【００９１】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００９２】
本発明は、同じ商品を購入したショッパー同士で、商品に関連付けられた活動をしたことを投稿及び確認し合うことにより、商品を継続して購入する動機を与えることが可能な特典付与装置、特典付与方法及びプログラムを提供することができる。
【符号の説明】
【００９３】
１１  ＣＰＵ
１２  ＲＯＭ
１３  ＲＡＭ
１４  記録媒体
１５  出力デバイス
１６  通信デバイス
１７  操作デバイス
１８  バス
１００  特典付与装置
１０１  投稿受付部
１０２  公開部
１０３  報告受付部
１０４  決定部
２００  端末装置
３００  ネットワーク
４１０，４２０  ページ
４１１，４１２  画像
４１３  テキスト
４１４  ボタン
４２１，４２２  リスト
【要約】
【課題】同じ商品を購入したショッパー同士で、商品に関連付けられた活動をしたことを投稿及び確認し合うことにより、商品を継続して購入する動機を与えることが可能な特典付与装置、特典付与方法及びプログラムを提供する。
【解決手段】投稿受付部１０１は、商品を購入したショッパーから、ショッパーが商品に関連付けられた活動をした旨の投稿を受け付ける。公開部１０２は、受け付けた投稿を公開する。報告受付部１０３は、商品を購入した他のショッパーが、公開された投稿を閲覧し、閲覧された投稿の内容を確認した旨の報告を受け付ける。決定部１０４は、ショッパーが商品を再度購入すると、報告を受け付けたか否かに応じて、ショッパーに付与する特典を決定する。
【選択図】図３【図１】
0006979498.tif 000002
【図２】
0006979498.tif 000003
【図３】
0006979498.tif 000004
【図４】
0006979498.tif 000005
【図５】
0006979498.tif 000006
【図６】
0006979498.tif 000007
【図７】
0006979498.tif 000008